(57)【要約】【課題】換気口が閉じられた状態での換気口部分の断熱性能を高いものにすることができる換気口開閉構造を提供する。【解決手段】換気口１を屋外側から開閉する屋外側開閉材２と、同換気口１を屋内側から開閉する屋内側開閉材３とが備えられ、屋外側開閉材２と屋内側開閉材３が連動機構４により連動して換気口１を開閉するようになされている。屋外側開閉材２は無孔の蓋板部２ａを備え、該蓋部２ａが屋外側に進出することにより該蓋部２ａと換気口１との間に側方を向く換気用の通気部２ｃが形成されて換気口１が開かれ、該蓋部２ａが後退することにより換気口１が蓋部２ａで閉じられるようになされている。屋内側開閉材３も同様である。【選択図】      図１
2007139281.tif 000002
【特許請求の範囲】
【請求項１】
換気口を屋外側から開閉する屋外側開閉材が備えられると共に、同換気口を屋内側から開閉する屋内側開閉材が備えられ、屋外側開閉材と屋内側開閉材のいずれか一方が開いたときもう一方を開かせ、前記一方が閉じたとき前記もう一方を閉じさせる連動機構が備えられていることを特徴とする換気口開閉構造。
【請求項２】
屋外側開閉材が無孔の蓋部を備え、該蓋部が屋外側に進出することにより該蓋部と換気口との間に側方を向く換気用の通気部が形成されて換気口が開かれ、該蓋部が後退することにより換気口が蓋部で閉じられるようになされている請求項１に記載の換気口開閉構造。
【請求項３】
前記屋外側の蓋部が、側方に張り出す庇部を備えている請求項２に記載の換気口開閉構造。
【請求項４】
屋内側開閉材が無孔の蓋部を備え、該蓋部が屋内側に進出することにより該蓋部と換気口との間に側方を向く換気用の通気部が形成されて換気口が開かれ、該蓋部が後退することにより換気口が蓋部で閉じられるようになされている請求項１乃至３のいずれか一に記載の換気口開閉構造。
【発明の詳細な説明】
【技術分野】
【０００１】
本発明は、換気口開閉構造に関する。
【背景技術】
【０００２】
住宅等の建物に設けられる、例えば自然換気用の換気口や第３種換気用の自然吸気口等の換気口を開閉する構造として、従来より種々のものが提供されているが、いずれも、換気口が閉じられた状態での換気口部分の断熱性能が充分には確保されていないという問題がある。
【発明の開示】
【発明が解決しようとする課題】
【０００３】
本発明は、上記のような問題点に鑑み、換気口が閉じられた状態での換気口部分の断熱性能を高いものにすることができる換気口開閉構造を提供することを課題とする。
【課題を解決するための手段】
【０００４】
上記の課題は、換気口を屋外側から開閉する屋外側開閉材が備えられると共に、同換気口を屋内側から開閉する屋内側開閉材が備えられ、屋外側開閉と屋内側開閉材のいずれか一方が開いたときもう一方を開かせ、前記一方が閉じたとき前記もう一方を閉じさせる連動機構が備えられていることを特徴とする換気口開閉構造によって解決される（第１発明）。
【０００５】
この換気口開閉構造では、換気口を、屋外側からは屋外側開閉材で閉じ、屋内側からは屋内側開閉材で閉じる二重閉じ構造で閉じるようにしているので、屋外側開閉材と屋内側開閉材との間に形成される空気層によって、閉じられた状態での換気口部分の断熱性能を高いものにすることができる。
【０００６】
しかも、屋外側開閉材と屋内側開閉材の開閉動作を連動機構により連動させるようにしているので、一方が閉じ、もう一方が開いているというような事態の発生を防いで、閉じ状態での断熱性能の確保と、開き状態での換気性能の確保を確実なものにすることができる。
【０００７】
第１発明の構造において、屋外側開閉材が無孔の蓋部を備え、該蓋部が屋外側に進出することにより該蓋部と換気口との間に側方を向く換気用の通気部が形成されて換気口が開かれ、該蓋部が後退することにより換気口が蓋部で閉じられるようになされているとよい（第２発明）。
【０００８】
この場合は、蓋部が屋外側に進出して換気口が開かれた状態において、換気用の通気部が側方を向くようになされているので、換気中の雨風の侵入を抑制することができ、また、同蓋部が後退して換気口が閉じられた状態では、換気口を通じた雨風の侵入を同蓋部によって確実に防ぐことができる。
【０００９】
また、第２発明の構造において、屋外側の蓋部が、側方に張り出す庇部を備えている場合（第３発明）は、換気中の雨風の侵入を該庇部によってより一層効果的に抑制することができると共に、同蓋部が後退して換気口が閉じられた状態では、換気口を通じた雨風の侵入をより一層確実に防ぐことができ、また、換気口の断熱性能も高いものにすることができる。
【００１０】
上記の第１〜第３発明において、屋内側開閉材が無孔の蓋部を備え、該蓋部が屋内側に進出することにより該蓋部と換気口との間に側方を向く換気用の通気部が形成されて換気口が開かれ、該蓋部が後退することにより換気口が蓋部で閉じられるようになされているのもよい（第４発明）。
【００１１】
この場合は、蓋部が屋内側に進出して換気口が開かれた状態において、換気用の通気部が側方を向くようになされているので、屋内での、換気による気流感をを緩和することができ、また、同蓋部が後退して換気口が閉じられた状態では、換気口が無孔の蓋部で隠され、スッキリとした外観にすることができる。
【発明の効果】
【００１２】
本発明は、以上のとおりのものであるから、換気口が閉じられた状態での換気口部分の断熱性能を高いものにすることができる。
【発明を実施するための最良の形態】
【００１３】
次に、本発明の実施最良形態を図面に基づいて説明する。
【００１４】
図１及び図２に示す実施形態の換気口開閉構造において、１は換気口、２は屋外側開閉材、３は屋内側開閉材、４は連動機構である。
【００１５】
本実施形態では、換気口１は、外壁、サッシ枠等に設けられた縦長の換気口からなっている。
【００１６】
屋外側開閉材２は、換気口１を屋外５側から塞ぐ無孔蓋部としての蓋板部２ａと、該蓋板部２ａの両側部に連接された側板部２ｂ，２ｂとを備えた断面平面視コの字状をしたものからなっていて、屋外５において蓋板部２ａとは反対の側から換気口１に進退可能にしっくりと嵌め込むことができるようになされている。
【００１７】
そして、各側板部２ｂ，２ｂには、換気用通気部としての通気開口部２ｃが上下方向に多数列設され、図１（イ）に示すように、屋外側開閉材２が、反屋外側に後退した状態となることによって、換気口１の屋外側開口部が蓋板部２ａで塞がれて閉じられ、図１（ロ）に示すように、屋外側に進出した状態となることによって、両側板部２ｂ，２ｂが屋外５に露出し、それらに設けられている通気開口部２ｃ…によって、側方を向く換気用の通気部が形成されるようになされている。
【００１８】
また、屋外側開閉材２の蓋板部２ａには側板部２ｂ，２ｂよりも外方に張り出す庇部２ｄ，２ｄが備えられている。なお、屋外側開閉材２の上端部は図示しない側板部で閉じられ、また、下端部は図示しない側板部で閉じられていてもよいし換気用の通気部として開かれていてもよい。
【００１９】
一方、屋内側開閉材３も同じく、換気口１を屋内６側から塞ぐ無孔蓋部としての蓋板部３ａと、該蓋板部３ａの両側部に連接された側板部３ｂ，３ｂとを備えた断面平面視コの字状をしたものからなっていて、屋内６において、蓋板部３ａとは反対の側から換気口１に進退可能にしっくりと嵌め込むことができるようになされている。
【００２０】
そして、各側板部３ｂ，３ｂには、換気用通気部としての通気開口部３ｃ…が上下方向に多数列設され、図１（イ）に示すように、屋内側開閉材３が、反屋内側に後退した状態となることによって、換気口１の屋内側開口部が蓋板部３ａで塞がれて閉じられ、図１（ロ）に示すように、屋内６側に進出した状態となることによって、両側板部３ｂ，３ｂが屋内に露出し、それらに設けられている通気開口部３ｃ…によって、側方を向く換気用の通気部が形成されるようになされている。
【００２１】
また、屋内側開閉材３の蓋板部３ａには側板部３ｂ，３ｂよりも外方に張り出す庇部３ｄ，３ｄが備えられている。なお、屋外側開閉材２の上端部と下端部は図示しない上下の側板部で閉じられていてもよい。
【００２２】
連動機構４は、屋外側開閉材２と屋内側開閉材３のいずれか一方が開いたときもう一方を開かせ、一方が閉じたときもう一方を閉じさせるもので、機構の具体的構成に制限はなく、機械式等の各種連動機構が用いられてよい。
【００２３】
なお、開閉の操作は、電動で行われるようになされていてもよいし、ワックスシリンダーや形状記憶バネなどで行われるようになされていてもよいし、マニュアル操作で開閉させるようになされていてもよい。
【００２４】
上記の換気口開閉構造では、換気口１が、屋外側からは屋外側開閉材２で閉じられ、屋内側からは屋内側開閉材３で閉じられた、二重閉じ構造で閉じられるようになされているので、屋外側開閉材２と屋内側開閉材３との間に形成される空気層７によって、閉じられた状態での換気口１部分の断熱性能を高いものにすることができる。
【００２５】
そして、屋外側開閉材２は、無孔の蓋板部２ａと、通気用開口部２ｃ…を備えた側板部２ｂ，２ｂとを備えた構造になっていて、図１（ロ）及び図２に示すように、蓋板部２ａが屋外５側に進出して換気口１が開かれた状態において、通気用開口部２ｃ…が側方を向いて屋外５に開放されるようになされているので、換気中の雨風の侵入を抑制することができ、また、図１（イ）に示すように、同蓋板部２ａが後退して換気口１が閉じられた状態では、換気口１を通じた雨風の侵入を同蓋板部２ａによって確実に防ぐことができる。
【００２６】
特に、本実施形態では、蓋板部２ａの両側部に側方に張り出す庇部２ｄ，２ｄが備えられているので、該庇部２ｄ，２ｄによって、換気中の雨風の侵入をより一層効果的に抑制することができると共に、同蓋板部２ａが後退して換気口１が閉じられた状態では、換気口１を通じた雨風の侵入をより一層確実に防ぐことができると共に、換気口１の断熱性能を高いものにすることができる。
【００２７】
また、屋内側開閉材３についても、無孔の蓋板部３ａと、通気用開口部３ｃ…を備えた側板部３ｂ，３ｂとを備えた構造になっていて、図１（ロ）及び図２に示すように、蓋板部３ａが屋内側に進出して換気口１が開かれた状態において、通気用開口部３ｃ…が左右方向を向いて屋内６に開放されるようになされているので、屋内６での、換気による気流感を緩和することができ、また、図１（イ）に示すように、同蓋板部３ａが後退して換気口１が閉じられた状態では、換気口１が無孔の蓋板部３ａで隠され、スッキリとした外観にすることができる。
【００２８】
特に、本実施形態では、屋内側開閉材３の蓋板部３ａに側板部３ｂ，３ｂよりも側方に張り出す庇部３ｄ，３ｄが備えられているので、屋内側の換気口開口部と蓋板部３ａとの間の隙間を確実に塞ぐことができて、外観の仕上がり状態を良好なものにすることができると共に、換気口１部分の断熱性能を高いものにすることができる。
【００２９】
以上に、本発明の実施形態を示したが、本発明はこれに限られるものではなく、発明思想を逸脱しない範囲で各種の変更が可能である。例えば、上記の実施形態では、屋内側開閉材や屋外側開閉材として、無孔の蓋板部と、有孔の側板部とを備えたものを用いた場合を示したが、第１発明では、これに限らず、換気口を開閉させる機能を備えたものであればよく、可動ルーバー式の開閉材などであってもよい。
【００３０】
また、上記の実施形態では、換気口が、縦長のものからなっている場合を示したが、横長のものであってもよいし、丸形や、正方形等の各種形状のものからなっていてもよい。そして、第２発明においていう「側方を向く換気用の通気部」の文言における「側方」の語は、上方を除く側方、例えば左方や右方、下方などであってよい。また、第４発明においていう「側方を向く換気用の通気部」の文言における「側方」の語は、前後方向を除く、上下左右等の側方であってよい。
【図面の簡単な説明】
【００３１】
【図１】実施形態の換気口開閉構造を示すもので、図（イ）は閉じた状態の平面断面図、図（ロ）は開いた状態の平面断面図である。
【図２】同換気口開閉構造を示すもので、開いた状態の断面斜視図である。
【符号の説明】
【００３２】
１…換気口
２…屋外側開閉材
２ａ…蓋板部
２ｂ…側板部
２ｃ…通気用開口部
２ｄ…庇部
３…屋内側開閉材
３ａ…蓋板部
３ｂ…側板部
３ｃ…通気用開口部
４…連動機構
５…屋外
６…屋内
７…空気層
【図１】
2007139281.tif 000003
【図２】
2007139281.tif 000004